(57)【要約】【課題】複雑で複合的な操作を行うことができる操作装置及び電気機器を提供する。【解決手段】所定位置から複数方向への移動が可能な操作板１２を備え、操作板１２の移動方向に応じた操作信号を出力する操作装置１に、操作板１２の表面に配されており、物体の接触の有無を検出する複数のタッチセンサ１３と、タッチセンサ１３の検出結果及び操作板１２の移動方向に応じて操作信号を出力する操作信号出力コネクタ１６とを備える。また、操作装置１を電気機器に備え、操作板１２及びタッチセンサの操作に応じて動作するように構成する。【選択図】図１
2009026153.tif 000002
【特許請求の範囲】
【請求項１】
所定位置から複数方向への移動が可能な操作体を備え、該操作体の移動方向に応じた操作信号を出力する操作装置において、
前記操作体の表面に配されており、物体の接触の有無を検出する複数の接触検出部と、
該接触検出部の検出結果及び前記操作体の移動方向に応じて操作信号を出力する操作信号出力部と
を備えることを特徴とする操作装置。
【請求項２】
所定位置から複数方向への移動が可能な操作体を備え、該操作体の移動方向に応じて動作する電気機器において、
前記操作体の表面に配されており、物体の接触の有無を検出する複数の接触検出部と、
前記接触検出部の検出結果及び前記操作体の移動方向に応じて動作を制御する制御手段と
を備えることを特徴とする電気機器。
【請求項３】
前記制御手段は、
単一の接触検出部が接触を検出しており、前記操作板が移動した場合、前記操作板の移動方向に応じて、第１の動作を制御する手段と、
複数の前記接触検出部が接触を検出しており、前記操作板が移動した場合、前記操作板の移動方向に応じて、第２の動作を制御する手段と
を備えることを特徴とする請求項２に記載の電気機器。
【請求項４】
前記複数の接触検出部は並設されており、
第１の前記接触検出部が接触を検出した場合、計時を開始する計時手段を備え、
前記制御手段は、
前記計時手段が所定時間を計時する前に、前記第１の接触検出部に隣り合う第２の接触検出部が接触を検出した場合、第１の動作を制御する手段と、
前記計時手段が所定時間を計時する前に、前記第１の接触検出部に隣り合う第３の接触検出部が接触を検出した場合、第２の動作を制御する手段と
を備えることを特徴とする請求項２に記載の電気機器。
【請求項５】
前記制御手段は、
一の前記接触検出部が接触を検出しており、前記操作体が移動した場合、前記操作体の移動方向に応じて第１の動作を制御する手段と、
他の前記接触検出部が接触を検出しており、前記操作体が移動した場合、前記操作体の移動方向に応じて第２の動作を制御する手段と
を備えることを特徴とする請求項２に記載の電気機器。
【請求項６】
前記操作体は円板状をなし、
前記複数の接触検出部は扇状又は円弧状をなし、周方向に離散するように配されている
ことを特徴とする請求項２から請求項５のいずれか一つに記載の電気機器。
【請求項７】
前記操作板は円板状をなし、
前記複数の接触検出部は、
前記操作体表面の略中央部を中心にして環状又は十字状に配されている
ことを特徴とする請求項２から請求項５のいずれか一つに記載の電気機器。
【発明の詳細な説明】
【技術分野】
【０００１】
本発明は、所定位置から複数方向への移動が可能な操作体を備え、該操作体の移動方向に応じた操作信号を出力する操作装置、及び該操作体を備えた電気機器に関する。
【背景技術】
【０００２】
操作装置としてポインティングデバイスを備えたノートパソコン、携帯電話、ＤＶＤレコーダ等の各種電気機器が提案されている（例えば、特許文献１）。
【０００３】
図２３は、従来のポインティングデバイス７０１を模式的に示す横断面図である。従来のポインティングデバイス７０１は、板状の基部７１１に対して傾倒可能に支持された操作桿７１４を備えている。操作桿７１４の先端部はゴムキャップ７１２で覆われており、ゴムキャップ７１２の上面にはタッチセンサ７１３が設けられている。
使用者がゴムキャップ７１２を押圧して操作桿７１４を傾倒させると、操作桿７１４の基端部に設けられた加重センサ７１５が操作桿７１４の傾倒方向に応じた操作信号を出力する。また、タッチセンサ７１３に指が触れた場合、タッチセンサ７１３は接触操作信号を出力する。
【０００４】
電気機器、例えばノートパソコンに搭載された制御装置は、操作桿７１４の傾倒を検出した場合、接触操作信号の有無に関わらず、操作桿７１４の傾倒方向に応じた処理を実行する。例えば、ノートパソコンのディスプレイに表示されたポインタを移動させる。また、制御装置は、操作桿７１４が傾倒を検出していない状態でタッチセンサ７１３の接触操作信号を検出した場合、決定処理を実行する。例えば、ポインタで選択されたソフトキーに対応する処理を実行する。
【０００５】
このように構成された従来のポインティングデバイス７０１においては、ポインティングデバイス７０１にボタン１個分の機能を追加することができ、省スペース化を図ることができる。
【特許文献１】特開平８−３３５１４１号公報
【発明の開示】
【発明が解決しようとする課題】
【０００６】
しかしながら、従来のポインティングデバイスにおいては、操作桿を操作する際、必ず指がタッチセンサに触れるため、操作桿とタッチセンサとを独立して操作することができず、操作効率が悪いという問題があった。
【０００７】
本発明は斯かる事情に鑑みてなされたものであり、所定位置から複数方向への移動が可能な操作体と、該操作体の表面に配された複数の接触検出部とを備えることにより、操作体の操作と同時に複数の接触検出部の操作も行うことができ、より複雑で複合的な操作を行うことができる操作装置及び電気機器を提供することを目的とする。
【課題を解決するための手段】
【０００８】
本発明に係る操作装置は、所定位置から複数方向への移動が可能な操作体を備え、該操作体の移動方向に応じた操作信号を出力する操作装置において、前記操作体の表面に配されており、物体の接触の有無を検出する複数の接触検出部と、該接触検出部の検出結果及び前記操作体の移動方向に応じて操作信号を出力する操作信号出力部とを備えることを特徴とする。
【０００９】
本発明に係る電気機器は、所定位置から複数方向への移動が可能な操作体を備え、該操作体の移動方向に応じて動作する電気機器において、前記操作体の表面に配されており、物体の接触の有無を検出する複数の接触検出部と、前記接触検出部の検出結果及び前記操作体の移動方向に応じて動作を制御する制御手段とを備えることを特徴とする。
【００１０】
本発明に係る電気機器は、前記制御手段は、単一の接触検出部が接触を検出しており、前記操作板が移動した場合、前記操作板の移動方向に応じて、第１の動作を制御する手段と、複数の前記接触検出部が接触を検出しており、前記操作板が移動した場合、前記操作板の移動方向に応じて、第２の動作を制御する手段とを備えることを特徴とする。
【００１１】
本発明に係る電気機器は、前記複数の接触検出部は並設されており、第１の前記接触検出部が接触を検出した場合、計時を開始する計時手段を備え、前記制御手段は、前記計時手段が所定時間を計時する前に、前記第１の接触検出部に隣り合う第２の接触検出部が接触を検出した場合、第１の動作を制御する手段と、前記計時手段が所定時間を計時する前に、前記第１の接触検出部に隣り合う第３の接触検出部が接触を検出した場合、第２の動作を制御する手段とを備えることを特徴とする。
【００１２】
本発明に係る電気機器は、前記制御手段は、一の前記接触検出部が接触を検出しており、前記操作体が移動した場合、前記操作体の移動方向に応じて第１の動作を制御する手段と、他の前記接触検出部が接触を検出しており、前記操作体が移動した場合、前記操作体の移動方向に応じて第２の動作を制御する手段とを備えることを特徴とする。
【００１３】
本発明に係る電気機器は、前記操作体は円板状をなし、前記複数の接触検出部は扇状又は円弧状をなし、周方向に離散するように配されていることを特徴とする。
【００１４】
本発明に係る電気機器は、前記操作板は円板状をなし、前記複数の接触検出部は、前記操作体表面の略中央部を中心にして環状又は十字状に配されていることを特徴とする。
【００１５】
本発明にあっては、操作体は所定位置から複数方向への移動が可能である。また、操作体の表面には複数の接触検出部が配されており、操作信号出力部は、操作体の移動方向及び接触検出部の検出結果に応じた操作信号を出力する。
接触検出部は操作体の表面に配されているため、使用者は接触検出部を操作すると同時に操作体を移動させることができ、操作装置又は電気機器は操作体及び接触検出部の同時的な操作を受け付けることができる。
また、複数の接触検出部を備えているため、操作装置又は電気機器は、より複合的な操作を受け付けることができる。例えば、使用者は各接触検出部を個別に触りながら操作体を移動させたり、複数の接触検出部を同時に触りながら操作体を移動させたりして電気機器の動作を制御することができる。
【００１６】
本発明にあっては、制御手段は、単一の接触検出部が接触を検出しており、操作板が移動した場合、第１の動作を制御し、複数の接触検出部が接触を検出しており、操作板が移動した場合、第２の動作を制御する。
従って、操作体にて操作できる動作は、使用者が単一の接触検出部に触れて操作板を移動させるか、複数の接触検出部に触れて操作板を移動させるかによって切り替わる。
【００１７】
本発明にあっては、計時手段は第１の接触検出部が接触を検出した場合、計時を開始する。そして、制御手段は、所定時間が経過する前に、第１の接触検出部に隣り合う第２の接触検出部が接触を検出した場合、第１の動作を制御する。また、制御手段は、所定時間が経過する前に第１の接触検出部に隣り合う第３の接触検出部が接触を検出した場合、第２の動作を制御する。
従って、使用者が複数の接触検出部をなぞる方向に応じて異なる操作を行うことができる。
【００１８】
本発明にあっては、制御手段は、一の接触検出部が接触を検出した場合、操作体の移動方向に応じて第１の動作を制御し、他の接触検出部が接触を検出した場合、操作体の移動方向に応じて第２の動作を制御する。
従って、操作体にて操作できる動作は、複数の接触検出部夫々に対する接触によって切り替わる。
【００１９】
本発明にあっては、複数の接触検出部は扇状又は円弧状をなし、該接触検出部は、円板状の操作板上に周方向に離散するように配されている。
従って、回転方向を指定するような操作を各接触検出部にて容易に行うことができる。
【００２０】
本発明にあっては、複数の接触検出部は、円板状の操作板上を中心にして環状又は十字状に配されている。
従って、周方向又は十字方向に沿った各接触検出部を順に触るような操作を容易に行うことができる。
【発明の効果】
【００２１】
本発明によれば、操作体の操作と同時に複数の接触検出部の操作も行うことができ、より複雑で複合的な操作を行うことができる。
【発明を実施するための最良の形態】
【００２２】
以下、本発明をその実施の形態を示す図面に基づいて詳述する。
（実施の形態１）
図１は、本発明の実施の形態１に係るポインティングデバイスを模式的に示す斜視図、図２は、ポインティングデバイスを模式的に示す平面図、図３は、ポインティングデバイスを模式的に示す側面図である。
【００２３】
図中１は、本発明の実施の形態１に係るポインティングデバイス（操作装置）である。ポインティングデバイス１は、基部１１と、基部１１に対して所定位置から複数方向へ移動及び押下可能に支持された操作板１２と、操作板表面１２ａに配された複数のタッチセンサ（接触検出部）１３と、操作板１２の移動方向及び各タッチセンサ１３に対する物体の接触の有無に応じた操作信号を出力する操作信号出力コネクタ１６とを備えている。
【００２４】
基部１１は偏平な中空略直方体形状をなし、例えば樹脂で形成されている。基部表面１１ａの略中央部には孔部が形成されており、該孔部から操作桿１４が平行可能に突出し、操作桿１４の先端部には操作板１２が設けられている。操作桿１４の基端部には、円板部１５ａが形成され、円板部１５ａの下面の略中心部分には下方がＮ極、上方がＳ極になるように磁石１５ｂが配設されている。円板部１５ａは、図示しない支持部によって平行移動及び押下可能に支持されている。例えば、円板部１５ａと支持部との間には、操作板１２を押下可能に支持するための弾性体が介装されている。円板部１５ａの更に下方であって、磁石１５ｂの磁場を検出可能な検出領域内に磁石１５ｂの位置に応じた信号を出力するセンサＩＣが配されている。センサＩＣは、磁石１５ｂの磁場を検出する複数のホール素子１５ｄと、各ホール素子１５ｄの出力に基づいて磁石１５ｂの位置を算出し、操作板１２の移動方向に応じた操作信号を出力する検出部１５ｃとを備えている。ホール素子１５ｄを用いることにより、操作板１２の押し込みを検出することも可能になる。
【００２５】
操作信号出力コネクタ１６は、基部１１の裏面の適宜箇所に設けられており、操作板１２の移動方向及び押下に応じた操作信号と、タッチセンサ１３の検出結果とを出力するように構成されている。
【００２６】
タッチセンサ１３は物体の接触を検出する静電容量式のセンサであり、操作板表面１２ａの周方向に等配された扇状の上タッチセンサ１３Ｕ、下タッチセンサ１３Ｄ、左タッチセンサ１３Ｌ、及び右タッチセンサ１３Ｒを備えている。
【００２７】
操作信号出力コネクタ１６は、基部１１の裏面の適宜箇所に設けられており、操作板１２の移動方向に応じた操作信号と、各タッチセンサ１３の検出結果と、操作板１２の押し込みを検出するスイッチの状態に応じた操作信号とを出力するように構成されている。
【００２８】
図４は、ポインティングデバイス１の操作状態を概念的に示す説明図である。使用者が操作板１２の周面１２ｂ又は操作板表面１２ａを基部表面１１ａに沿った方向へ押圧した場合、操作板１２及び磁石１５ｂが平行移動し、各ホール素子１５ｄの出力が変化する。検出部１５ｃは、各ホール素子１５ｄの出力が変化に基づいて、操作板１２の移動方向を算出し、操作板１２の移動方向に応じた操作信号を操作信号出力コネクタ１６から出力する。また、各タッチセンサ１３に物体が接触した場合、物体の接触を検出したタッチセンサ１３は操作信号を操作信号出力コネクタ１６から出力する。
【００２９】
以下、本発明の実施の形態１に係るポインティングデバイス１を映像記録再生装置に搭載した例を説明する。該映像記録再生装置は、映像の録画再生機能に加えて、ＤＶＤに記録された静止画データに基づいて、静止画一覧を表示する機能を備えている。
【００３０】
図５は、本発明の実施の形態１に係る映像記録再生装置の内部構成を示すブロック図である。映像記録再生装置は、各種構成部の動作を制御する制御部３６を備えている。
【００３１】
制御部３６は、ＣＰＵ、ＲＯＭ、ＲＡＭ、計時部３６ａ等を備えたマイクロコンピュータからなり、各種ハードウェアに制御信号を与えて動作を制御する。制御部３６には、遠隔操作装置３９から送信される赤外光の信号を受信する受信部３８、表示部４０、操作部４１等が設けられている。
【００３２】
遠隔操作装置３９は、本発明の実施の形態１に係るポインティングデバイス１、電源ボタン等を備えており、ポインティングデバイス１及び各種ボタンの操作状態に応じた赤外線の信号を送信する。受信部３８は、遠隔操作装置３９から送信された赤外線の信号を受信し、操作部４１の操作状態を検出する。
表示部４０は、液晶ディスプレイを備えており、映像記録再生装置の動作状態、時刻等を表示する。
操作部４１は、本発明の実施の形態１に係るポインティングデバイス１を筐体の適宜箇所に備えており、ポインティングデバイス１の操作に応じて各種構成部の動作を制御する。
【００３３】
図中２１は、アンテナＡで受信したＲＦ信号（放送信号）を増幅し、特定チャンネルの信号を選択するデジタルチューナであり、デジタルチューナ２１は、選択した信号を復調部２２に与える。
【００３４】
デジタルチューナ２１から与えられた信号は、ＯＦＤＭ（Orthogonal Frequency Division Multiplexing）方式で変調されており、復調部２２は、前記信号を、ＭＰＥＧ２ＴＳ（Transport Stream）形式のストリームデータに復調し、復調したストリームデータを切換部２３に与える。
【００３５】
切換部２３には、後述のハードディスクドライブ３２及びＤＶＤドライブ３３がバッファメモリ３７を介して接続されており、切換部２３は、ハードディスクドライブ３２、ＤＶＤドライブ３３、又は復調部２２より与えられた一のストリームデータ又は静止画データを分離部２４に与える。また、切換部２３は、制御部３６より与えられた制御信号に応じて、分離部２４に与えるストリームデータを切り換える。なお、ＤＶＤドライブ３３から与えられるストリームデータはＭＰＥＧ２ＰＳ（Program Stream）形式である。
【００３６】
ＴＳ形式及びＰＳ形式のストリームデータは、複数のパケットから構成されている。特にＴＳ形式におけるパケットは、１乃至３番組の映像を構成する時系列順のビデオデータ及び音声データ、並びに番組配列情報（SI:Service Information）等をパケット化したものである。複数のパケットから、時系列順のビデオデータ及び音声データが復元される。
【００３７】
分離部２４は、ストリームデータから一の番組のビデオデータ及び音声データに係るパケットを選択し、選択したパケットからなるビデオデータ及び音声データを、夫々図示しないビデオバッファ及び音声バッファに与える。ビデオバッファ及び音声バッファは、分離部２４から与えられたビデオデータ及び音声データを夫々所定のタイミングでビデオデコーダ２５ａ及び音声デコーダ２６に与える。
また、分離部２４は、ストリームデータに含まれる番組配列情報を選択し、選択した番組配列情報をＥＰＧ（Electronic Program Guide）デコーダ２７に与える。番組配列情報は、放送される番組のタイトル、チャンネル、放送開始時刻、放送終了時刻、及び映画、ドラマ等の番組の属するジャンル等の情報を有している。
更に、分離部２４は、後述するようにＤＶＤ３５から読み出された静止画データが切換部２３を介して入力された場合、該静止画データを静止画デコーダ２５ｂに与える。
【００３８】
ＥＰＧデコーダ２７は、分離部２４から与えられた番組配列情報に基づいて、番組表の画像データを生成し、生成した番組表の画像データをＯＳＤ（On Screen Display）表示処理部２８に与える。ＥＰＧデコーダ２７及びＯＳＤ表示処理部２８による番組表のＯＳＤ表示は、制御部３６によって制御される。
【００３９】
ビデオデコーダ２５ａは、ビデオバッファから与えられたビデオデータを、ＭＰＥＧ２の圧縮伸張方式に従って復調し、復調したビデオデータをＯＳＤ表示処理部２８に与える。また、ビデオデコーダ２５ａは、復調したビデオデータをＭＰＥＧ符号化部３１に与える。
【００４０】
静止画デコーダ２５ｂは、ＪＰＥＧ等の圧縮伸張方式に従って静止画データを復調し、復調した静止画データをＯＳＤ表示処理部２８に与える。
【００４１】
ＯＳＤ表示処理部２８は、ビデオデコーダ２５ａから与えられたビデオデータの映像に、ＥＰＧデコーダ２７又は制御部３６から与えられた画像データの映像をＯＳＤ表示させた映像のビデオデータを生成し、生成したビデオデータを、所定のタイミングでビデオ信号出力部２９に与える。また、ＯＳＤ表示処理部２８は、静止画デコーダ２５ｂから静止画データが入力された場合、静止画データに基づいて一又は複数の静止画を並置した映像のビデオデータを生成し、生成したビデオデータをビデオ信号出力部２９に与える。
【００４２】
音声デコーダ２６は、音声バッファから与えられた音声データを、所定の圧縮伸張方式、例えばＡＡＣ（Advanced Audio Coding）又はＡＣ３（Audio Code number 3）の圧縮伸張方式に従って復調し、復調した音声データを、所定のタイミングで音声信号出力部３０に与える。また、音声デコーダ２６は、復調した音声データをＭＰＥＧ符号化部３１に与える。
【００４３】
ビデオ信号出力部２９及び音声信号出力部３０は、ＯＳＤ表示処理部２８及び音声デコーダ２６から与えられたビデオデータ及び音声データを、アナログのビデオ信号及び音声信号にＤＡ変換し、ＤＡ変換したビデオ信号及び音声信号を外部の図示しない表示装置及びスピーカに出力する。なお、制御部３６は、音声信号の信号レベルを上下させることにより、出力される音声の音量を上下させることができる。
【００４４】
ＭＰＥＧ符号化部３１は、ビデオデコーダ２５ａ及び音声デコーダ２６から与えられたビデオデータ及び音声データを、ＭＰＥＧ２ＰＳ形式のストリームデータに符号化し直し、符号化したストリームデータをバッファメモリ３７を介してハードディスクドライブ３２又はＤＶＤドライブ３３に与える。
【００４５】
ＤＶＤドライブ３３は、ストリームデータを８−１６変調する変調部、変調されたストリームデータを、ＤＶＤ３５に記録する光ピックアップを備えている。また、ＤＶＤドライブ３３は、光ピックアップによってＤＶＤ３５から読み出したストリームデータ又は静止画データを復調する図示しない復調回路を備えており、復調したストリームデータをバッファメモリ３７を介して切換部２３に与える。
【００４６】
ハードディスクドライブ３２は、ストリームデータを変調する変調部、変調されたストリームデータをハードディスク３４に記録するヘッド部を備えている。また、ハードディスクドライブ３２は、ハードディスク３４から読み出したストリームデータ又は静止画データを復調する図示しない復調回路を備えており、復調したストリームデータをバッファメモリ３７を介して切換部２３に与える。
【００４７】
以下、本実施の形態１に係るポインティングデバイス１を利用した操作方法の具体例を説明する。
図６及び図７は、画像処理操作方法を概念的に示す説明図、図８は、ポインティングデバイス１による画像処理操作方法を概念的に示す説明図である。図６及び図７は、図示しない外部の表示装置に表示された複数の静止画Ｂを示している。また、破線で示した矩形枠は一の静止画Ｂを選択するためのカーソルＫ１である。図８に示すように操作板１２にはカーソル移動が割り当てられており、使用者が図６（ａ）に示した状態で操作板１２を移動させた場合、例えば右方向に移動させると、図６（ｂ）に示すように他の静止画ＢがカーソルＫ１で選択される。
また、図８に示すように各タッチセンサ１３には画像の回転操作が割り当てられており、使用者が図６（ａ）に示した状態で周方向に並んだ各タッチセンサ１３を順に触った場合、例えば１３Ｕの次に１３Ｒを順に触ると、図７（ａ）に示すようにカーソルＫ１で選択されている静止画Ｂは回転する。
更に、図８に示すように各タッチセンサ１３には画像の拡大及び縮小処理が割り当てられており、使用者が図６（ａ）に示した状態で上下方向に並んだ上タッチセンサ１３Ｕ及び下タッチセンサ１３Ｄを順に触った場合、図７（ｂ）に示すようにカーソルＫ１で選択されている静止画Ｂは拡大又は縮小する。
更にまた、図８に示すように各タッチセンサ１３にはページ移動操作が割り当てられており、使用者が単発的に各タッチセンサ１３を触った場合、別ページにある複数の静止画Ｂ群が表示装置に表示される。
【００４８】
図９及び図１０は、ポインティングデバイス１による画像処理操作に係る制御部３６の処理手順を示すフローチャートである。制御部３６は、操作部４１のポインティングデバイス１からの信号、又は遠隔操作装置３９及び受信部３８を介して受信した信号に基づいて、ポインティングデバイス１の操作状態を検出する（ステップＳ１１）。具体的には、制御部３６は、操作板１２の移動方向及び各タッチセンサ１３に対する物体の接触の有無を検出する。
【００４９】
そして、制御部３６は、操作板１２が移動しているか否かを判定する（ステップＳ１２）。操作板１２が移動していると判定した場合（ステップＳ１２：ＹＥＳ）、制御部３６は、図６に示すように操作板１２と略同一方向へカーソルＫ１を移動させ（ステップＳ１３）、処理を終える。
【００５０】
操作板１２が移動していないと判定した場合（ステップＳ１２：ＮＯ）、制御部３６は、上タッチセンサ１３Ｕ、下タッチセンサ１３Ｄ、左タッチセンサ１３Ｌ又は右タッチセンサ１３Ｒのいずれかがオン状態であるか否か、つまり各タッチセンサ１３のいずれかが接触を検出したか否かを判定する（ステップＳ１４）。接触を検出していないと判定した場合（ステップＳ１４：ＮＯ）、制御部３６は、処理を終える。
【００５１】
各タッチセンサ１３のいずれかが接触を検出したと判定した場合（ステップＳ１４：ＹＥＳ）、制御部３６は、計時を開始する（ステップＳ１５）。次いで、制御部３６は、計時開始後、所定時間が経過したか否かを判定する（ステップＳ１６）。所定時間が経過したと判定した場合（ステップＳ１６：ＹＥＳ）、制御部３６は、ページ移動に係る処理を実行し（ステップＳ１７）、画像処理装置に係る処理を終える。
【００５２】
所定時間が経過していないと判定した場合（ステップＳ１６：ＮＯ）、制御部３６は、周方向に隣接した上タッチセンサ１３Ｕ、右タッチセンサ１３Ｒ、下タッチセンサ１３Ｄ又は左タッチセンサ１３Ｌのいずれかがオン状態、つまり周方向に隣接した各タッチセンサ１３のいずれかが接触を検出したか否かを判定する（ステップＳ１８）。周方向に隣接した各タッチセンサ１３のいずれかが接触を検出したと判定した場合（ステップＳ１８：ＹＥＳ）、制御部３６は、カーソルＫ１で選択されている静止画Ｂを左回転又は右回転させる（ステップＳ１９）。例えば、左タッチセンサ１３Ｌが接触を検出した後、所定時間以内に上タッチセンサ１３Ｕが接触を検出した場合、制御部３６はカーソルＫ１で選択されている静止画Ｂを時計回りに回転させる。また、左タッチセンサ１３Ｌが接触を検出した後、所定時間以内に下タッチセンサ１３Ｄが接触を検出した場合、制御部３６はカーソルＫ１で選択されている静止画Ｂを反時計回りに回転させる。
【００５３】
周方向に隣接した各タッチセンサ１３のいずれもが接触を検出していないと判定した場合（ステップＳ１８：ＮＯ）、制御部３６は、上下方向に隣接した上タッチセンサ１３Ｕ又は下タッチセンサ１３Ｄのいずれかがオン状態、つまり上下方向に隣接した各タッチセンサ１３のいずれかが接触を検出したか否かを判定する（ステップＳ２０）。上下方向に隣接した各タッチセンサ１３のいずれもが接触を検出していないと判定した場合（ステップＳ２０：ＮＯ）、制御部３６は、処理をステップＳ１６に戻す。上下方向に隣接した各タッチセンサ１３のいずれかが接触を検出した場合（ステップＳ２０：ＹＥＳ）、制御部３６は、カーソルＫ１で選択されている静止画Ｂを拡大又は縮小させ（ステップＳ２１）、画像処理操作に係る処理を終える。例えば、上タッチセンサ１３Ｕが接触を検出した後、所定時間以内に下タッチセンサ１３Ｄが接触を検出した場合、制御部３６はカーソルＫ１で選択されている静止画Ｂを縮小させる。下タッチセンサ１３Ｄが接触を検出した後、所定時間以内に上タッチセンサ１３Ｕが接触を検出した場合、制御部３６はカーソルＫ１で選択されている静止画Ｂを拡大させる。
【００５４】
次に、本実施の形態１に係るポインティングデバイス１を利用した操作方法の他の具体例を説明する。
図１１及び図１２は、録画予約操作方法を概念的に示す説明図である。最外の矩形枠及び該矩形枠の内側に表示された一覧は、ＯＳＤ表示された番組表Ｃである。一覧はマトリクス状に升目を並置してなる。各行はチャンネルに対応しており、各行の見出しにはチャンネルの番号が表示されている。一覧の各列は放送時刻が対応しており、各列の見出しには１７〜２２時の時刻が表示されている。一覧を構成している各升目には、対応するチャンネル及び放送時刻で放送される番組の名称、ジャンル等が表示される。また、一の升目を囲む太線の矩形枠は録画予約対象候補である番組を選択するためのカーソルＫ２を示している。
【００５５】
図１２（ａ）は、番組表Ｃに表示される放送時間帯をページ変更した状態を示しており、図１２（ｂ）は番組表Ｃに表示されるチャンネル群をページ変更した状態を示している。
操作板１２にはカーソル移動が割り当てられており、使用者が操作板１２を移動させた場合、図１１に示すようにカーソルＫ２が移動する。
また、各タッチセンサ１３にはページ移動が割り当てられており、使用者が上タッチセンサ１３Ｕ又は下タッチセンサ１３Ｄに触れた場合、図１２（ａ）に示すように、番組表Ｃに表示される放送時間帯が変更され、使用者が左タッチセンサ１３Ｌ又は右タッチセンサ１３Ｒに触れた場合、図１２（ｂ）に示すように、番組表Ｃに表示されるチャンネル群が変更される。
【００５６】
図１３は、ポインティングデバイス１による録画予約に係る制御部３６の処理手順を示すフローチャートである。制御部３６は、操作部４１のポインティングデバイス１の操作状態を検出する（ステップＳ３１）。
【００５７】
そして、制御部３６は、操作板１２が移動しているか否かを判定する（ステップＳ３２）。操作板１２が移動していると判定した場合（ステップＳ３２：ＹＥＳ）、制御部３６は、図１１に示すように操作板１２の移動方向に応じてカーソルＫ２を移動させ（ステップＳ３３）、処理を終える。
【００５８】
操作板１２が移動していないと判定した場合（ステップＳ３２：ＮＯ）、制御部３６は、操作板１２が基部１１に押し込まれているか否かを判定する（ステップＳ３４）。操作板１２が押し込まれていると判定した場合（ステップＳ３４：ＹＥＳ）、制御部３６は、選択されている番組の予約処理を実行し（ステップＳ３５）、処理を終える。
【００５９】
操作板１２が押し込まれていないと判定した場合（ステップＳ３４：ＮＯ）、制御部３６は、各タッチセンサ１３のいずれかがオン状態、つまり各タッチセンサ１３のいずれかが接触を検出しているか否かを判定する（ステップＳ３６）。各タッチセンサ１３のいずれもが接触を検出していない場合（ステップＳ３６：ＮＯ）、制御部３６は、処理を終える。各タッチセンサ１３のいずれかが接触を検出したと判定した場合（ステップＳ３６：ＹＥＳ）、制御部３６は、上下左右へ番組表Ｃのページを移動させ（ステップＳ３７）、処理を終える。例えば、上タッチセンサ１３Ｕが接触を検出した場合、制御部３６は番組表Ｃのページを上方へ移動させ、下タッチセンサ１３Ｄが接触を検出した場合、制御部３６は番組表Ｃを下方へ移動させる。また、左タッチセンサ１３Ｌが接触を検出した場合、制御部３６は番組表Ｃを左ページへ移動させ、右タッチセンサ１３Ｒが接触を検出した場合、制御部３６は番組表Ｃを右ページへ移動させる。
【００６０】
本実施の形態１に係るポインティングデバイス１及び映像記録再生装置にあっては、円板状の操作板１２上に、複数の各タッチセンサ１３が配されているため、操作板１２の操作と同時に複数の各タッチセンサ１３の操作も行うことができ、より複雑で複合的な操作を行うことができる。例えば、一の操作装置によってページ切り替え、カーソル移動、画像の回転、拡大及び縮小等の操作を行うことができる。
特に、各タッチセンサ１３は周方向に離散するように上下左右に配されているため、方向を指定する必要がある動作制御の操作に適しており、操作感覚を向上させることができる。
【００６１】
また、使用者が複数のタッチセンサをなぞる方向に応じて異なる動作を制御することができる。具体的には、周方向に各タッチセンサ１３をなぞることによって、画像を回転させることができ、直線方向に各タッチセンサ１３をなぞることによって、画像を拡大又は縮小させることができる。
【００６２】
更に、操作板１２上にタッチセンサ１３を配しているため、ポインティングデバイス１の操作板１２及びタッチセンサ１３を片手、つまり一つの指で行うことができ、省スペースで効率の良い操作環境を提供することができる。
【００６３】
なお、実施の形態１にあっては、操作装置にて画像の回転、拡大及び縮小の画像処理操作、カーソル及びページ移動、並びに音量及びチャンネル調整を行う例を説明したが、操作装置及び電気機器にて操作可能な動作はこれに限定されない。例えば、本実施の形態に係る操作装置にてスクロール移動、ビデオゲームにおけるキャラクタの移動、又は視点を移動させるような操作を行うように構成しても良い。
【００６４】
なお、実施の形態１にあっては、円板状の操作板を説明したが、操作板の形状は円板状に限定されず、矩形板状、三角形状等、他の形状であっても良い。
【００６５】
また、４個のタッチセンサを備えた場合を説明したが、タッチセンサの数、及び配置方法は実施の形態１に限定されない。
【００６６】
更に、実施の形態１にあっては、ポインティングデバイスを備えた電気機器として映像記録再生装置を説明したが、携帯電話、ノートパソコン、音楽再生装置、ＰＤＡ等の他の電気機器に本発明のポインティングデバイスを適用しても良い。
【００６７】
（実施の形態２）
図１４は、実施の形態２に係るポインティングデバイス２０１を模式的に示す平面図である。実施の形態２に係るポインティングデバイス２０１は、実施の形態１と同様の基部１１、操作板２１２等を備えている。また、操作板表面２１２ａの円周部分には、複数のタッチセンサ２１３が円環状に並設されている。
また、実施の形態２に係る図示しない映像記録再生装置は、実施の形態１と同様の構成であり、ポインティングデバイス２０１を備えている。
【００６８】
図１５は、ポインティングデバイス２０１による音量調整及びチャンネル変更の操作方法を概念的に示す説明図である。映像表示中に、使用者が周方向に隣接した複数のタッチセンサ２１３を順に触った場合、音量が上下する。また、使用者が操作板２１２を上下方向へ移動させた場合、表示するチャンネルが変更される。
【００６９】
図１６は、ポインティングデバイス２０１による音量調整及びチャンネル変更に係る制御部３６の処理手順を示すフローチャートである。制御部３６は、ポインティングデバイス２０１の操作状態を検出する（ステップＳ５１）。
【００７０】
次いで、制御部３６は、操作板２１２が移動したか否かを判定する（ステップＳ５２）。操作板２１２が移動していると判定した場合（ステップＳ５２：ＹＥＳ）、制御部３６は、チャンネルを変更し（ステップＳ５３）、処理を終える。
【００７１】
操作板２１２が移動していないと判定した場合（ステップＳ５２：ＮＯ）、制御部３６は一のタッチセンサ２１３がオン状態、つまり接触を検出したか否かを判定する（ステップＳ５４）。タッチセンサ２１３が接触を検出していないと判定した場合（ステップＳ５４：ＮＯ）、制御部３６は、処理を終える。
【００７２】
タッチセンサ２１３が接触を検出していると判定した場合（ステップＳ５４：ＹＥＳ）、制御部３６は、計時を開始する（ステップＳ５５）。次いで、制御部３６は、計時開始後、所定時間が経過したか否かを判定する（ステップＳ５６）。所定時間が経過したと判定した場合（ステップＳ５６：ＹＥＳ）、制御部３６は、処理を終える。
【００７３】
所定時間が経過していないと判定した場合（ステップＳ５６：ＮＯ）、制御部３６は、前記一のタッチセンサ２１３に対して周方向に隣接した他のタッチセンサ２１３がオン状態、つまり接触を検出したか否かを判定する（ステップＳ５７）。他のタッチセンサ２１３が接触を検出していないと判定した場合（ステップＳ５７：ＮＯ）、制御部３６は、処理をステップＳ５６に戻す。
【００７４】
他のタッチセンサ２１３が接触を検出したと判定した場合（ステップＳ５７：ＹＥＳ）、制御部３６は、なぞる方向に応じて音量を上下させて（ステップＳ５８）、処理を終える。
【００７５】
実施の形態２にあっては、隣り合う各タッチセンサ２１３をなぞる方向に応じて異なる動作を制御することができる。具体的には、時計回りに各タッチセンサ２１３をなぞることによって、音量を上げ、反時計回りに各タッチセンサ２１３をなぞることによって音量を下げることができる。
特に、各タッチセンサ２１３は周方向に並設されているため、周方向に沿った各タッチセンサ２１３を順に触る必要がある動作制御の操作に適しており、操作感覚を向上させることができる。
【００７６】
実施の形態２に係るポインティングデバイス２０１及び映像記録再生装置の他の構成、作用及び効果は実施の形態１に係るポインティングデバイス１及び映像記録再生装置の構成、作用及び効果と同様であるため、対応する箇所には同様の符号を付してその詳細な説明を省略する。
【００７７】
（実施の形態３）
図１７は、実施の形態３に係るポインティングデバイス３０１を模式的に示す平面図である。実施の形態３に係るポインティングデバイス３０１は、実施の形態１と同様の基部１１、操作板３１２等を備えている。また、操作板表面３１２ａには、複数のタッチセンサ３１３が十字状に並設されている。また、実施の形態３に係る図示しない映像記録再生装置は、実施の形態１と同様の構成であり、ポインティングデバイス３０１を備えている。
【００７８】
制御部３６は、実施の形態１又は２同様、ポインティングデバイス３０１の操作に応じてカーソル移動、ページ移動を行うことができる。例えば、操作板３１２が上下左右に移動した場合、制御部３６は操作板３１２の移動方向に応じて番組表Ｃにおけるカーソルを移動させる。また上方から下方へタッチセンサ３１３が順に接触を検出した場合、制御部３６は番組表Ｃを下ページへ移動させる。同様に、下方から上方へタッチセンサ３１３が順に接触を検出した場合、制御部３６は番組表Ｃを上ページへ移動させる。また、左方から右方へタッチセンサ３１３が順に接触を検出した場合、制御部３６は番組表Ｃを右ページへ移動させ、右方から左方へタッチセンサ３１３が順に接触を検出した場合、制御部３６は番組表Ｃを左ページへ移動させる。
【００７９】
なお、カーソル及びページの移動は一例であり、タッチセンサ３１３にて音量、チャンネルを上下させるように構成しても良い。また、静止画を拡大又は縮小させるように構成しても良い。
【００８０】
実施の形態３にあっては、各タッチセンサ３１３は十字方向に並設されているため、十字方向に沿った各タッチセンサ部を順に触る必要がある操作に適しており、操作感覚を向上させることができる。
【００８１】
実施の形態３に係るポインティングデバイス３０１及び映像記録再生装置の他の構成、作用及び効果は実施の形態１に係るポインティングデバイス１及び映像記録再生装置の構成、作用及び効果と同様であるため、対応する箇所には同様の符号を付してその詳細な説明を省略する。
【００８２】
（実施の形態４）
図１８は、実施の形態４に係るポインティングデバイス４０１を模式的に示す平面図である。実施の形態４に係るポインティングデバイス４０１は、実施の形態１と同様の基部１１、操作板４１２等を備えている。また、操作板表面４１２ａの上端部には円弧状の上タッチセンサ４１３Ｕが設けられており、操作板表面４１２ａの下端部には円弧状の下タッチセンサ４１３Ｄが設けられている。
【００８３】
図１９は、ポインティングデバイス４０１による録画予約操作に係る制御部３６の処理手順を示すフローチャートである。制御部３６は、ポインティングデバイス４０１の操作状態を検出する（ステップＳ７１）。具体的には、制御部３６は、操作板４１２の移動方向及び各タッチセンサ４１３Ｕ，４１３Ｄの接触検出状態を検出する。
【００８４】
そして、制御部３６は、操作板４１２が移動しているか否かを判定する（ステップＳ７２）。操作板４１２が移動していると判定した場合（ステップＳ７２：ＹＥＳ）、制御部３６は、上タッチセンサ４１３Ｕ及び下タッチセンサ４１３Ｄが両方ともオン状態、つまり接触を検出したか否かを判定する（ステップＳ７３）。上タッチセンサ４１３Ｕ及び下タッチセンサ４１３Ｄが両方とも接触を検出した場合（ステップＳ７３：ＹＥＳ）、制御部３６は、操作板４１２の移動方向に応じて番組表をページ移動させ（ステップＳ７４）、処理を終える。
【００８５】
上タッチセンサ４１３Ｕ又は下タッチセンサ４１３Ｄのいずれかが接触を検出していないと判定した場合（ステップＳ７３：ＮＯ）、制御部３６は、操作板４１２の移動方向に応じてカーソルを移動させ（ステップＳ７５）、処理を終える。
【００８６】
ステップＳ７２で操作板４１２が移動していないと判定した場合（ステップＳ７２：ＮＯ）、制御部３６は、操作板４１２が基部１１に押し込まれているか否かを判定する（ステップＳ７６）。操作板４１２が押し込まれていないと判定した場合（ステップＳ７６：ＮＯ）、制御部３６は、処理を終える。操作板４１２が押し込まれていると判定した場合（ステップＳ７６：ＹＥＳ）、制御部３６は、カーソルで選択されている番組の予約処理を実行し（ステップＳ７７）、処理を終える。
【００８７】
実施の形態４に係る操作装置及び映像記録再生装置にあっては、操作板４１２で操作可能な動作を、タッチセンサの触れ方に応じて切り替えることができる。具体的には、上タッチセンサ４１３Ｕ及び下タッチセンサ４１３Ｄを同時に触りながら操作板４１２を移動させた場合は、ページ移動を行い、上タッチセンサ４１３Ｕ又は下タッチセンサ４１３Ｄのいずれかを触りながら、又は両方に触れずに、操作板４１２を移動させた場合はカーソル移動を行うことができる。
【００８８】
実施の形態４に係るポインティングデバイス４０１及び映像記録再生装置の他の構成、作用及び効果は実施の形態１に係るポインティングデバイス１及び映像記録再生装置の構成、作用及び効果と同様であるため、対応する箇所には同様の符号を付してその詳細な説明を省略する。
【００８９】
（実施の形態５）
実施の形態５に係るポインティングデバイス４０１及び映像記録再生装置は、実施の形態４と同様の構成であり、処理手順のみが実施の形態４に係るポインティングデバイス４０１と異なるため、以下では主に上記相違点について説明する。
【００９０】
図２０は、実施の形態５におけるポインティングデバイス４０１による音量調整及びチャンネル変更に係る制御部３６の処理手順を示すフローチャートである。制御部３６は、ポインティングデバイス４０１の操作状態を検出する（ステップＳ９１）。
【００９１】
そして、制御部３６は、操作板４１２が移動しているか否かを判定する（ステップＳ９２）。操作板４１２が移動していないと判定した場合（ステップＳ９２：ＮＯ）、制御部３６は、処理を終える。操作板４１２が移動していると判定した場合（ステップＳ９２：ＹＥＳ）、制御部３６は、上タッチセンサ４１３Ｕがオン状態、つまり接触を検出しているか否かを判定する（ステップＳ９３）。上タッチセンサ４１３Ｕが接触を検出していると判定した場合（ステップＳ９３：ＹＥＳ）、制御部３６は、操作板４１２の移動方向に応じて音量を上下させ（ステップＳ９４）、処理を終える。
【００９２】
上タッチセンサ４１３Ｕが接触を検出していないと判定した場合（ステップＳ９３：ＮＯ）、制御部３６は、下タッチセンサ４１３Ｄがオン状態、つまり接触を検出しているか否かを判定する（ステップＳ９５）。下タッチセンサ４１３Ｄが接触を検出していると判定した場合（ステップＳ９５：ＹＥＳ）、制御部３６は、操作板４１２の移動方向に応じてチャンネルを変更し（ステップＳ９６）、処理を終える。下タッチセンサ４１３Ｄが接触を検出していないと判定した場合（ステップＳ９５：ＮＯ）、制御部３６は、図示しないポインタを移動させ（ステップＳ９７）、処理を終える。
【００９３】
実施の形態５に係る操作装置及び映像記録再生装置にあっては、操作板４１２で操作可能な動作を、触るタッチセンサ４１３Ｕ，４１３Ｄによって切り替えることができる。例えば、上タッチセンサ４１３Ｕを触りながら操作板４１２を上下方向に移動させることによって音量を調整し、下タッチセンサ４１３Ｄを触りながら操作板４１２を上下方向に移動させることによってチャンネルを変更することもできる。
【００９４】
実施の形態５に係るポインティングデバイス４０１及び映像記録再生装置の他の構成、作用及び効果は実施の形態１に係るポインティングデバイス１及び映像記録再生装置の構成、作用及び効果と同様であるため、対応する箇所には同様の符号を付してその詳細な説明を省略する。
【００９５】
（実施の形態６）
図２１は、本発明の実施の形態６に係る携帯電話機の内部構成を示すブロック図、図２２は携帯電話を模式的に示す正面図である。実施の形態６に係る携帯電話機は、本発明に係るポインティングデバイス１を備えており、実施の形態１〜５同様、複雑で複合的な操作が可能になる。
【００９６】
本発明の実施の形態６に係る携帯電話機は、制御部５０、無線通信及びテレビジョン放送信号の受信を行うためのアンテナ５１、分波部５２、無線部５３、通信制御部５４、チューナ５５、信号処理部５６、及び表示部６０を備えている。
【００９７】
制御部５０は、例えばＣＰＵを備えたマイクロコンピュータであり、携帯電話機を構成する各構成部の動作を制御する。制御部５０には、操作部６１が接続されており、制御部５０は、操作部６１の操作状態に応じて動作を制御する。
【００９８】
操作部６１は、本発明の実施の形態に係るポインティングデバイス１、通話ボタン、数字ボタン等を備えている。ポインティングデバイス１の構成は、実施の形態１と同様である。
【００９９】
アンテナ５１は、無線電波を介して基地局と無線通信を行い、音声データ、文字データ及び画像データ等を送受信する。また、アンテナ５１はテレビジョン信号を受信することができる。
【０１００】
分波部５２は、アンテナ５１にて受信した無線信号と放送信号とを分離し、分離された無線信号を無線部５３に送り、分離された放送信号をチューナ５５に送る。
【０１０１】
通信制御部５４は無線部５３の動作を制御する。通信制御部５４は、受信時においては基地局からアンテナ５１を介して受信した無線を無線部５３に復調させ、復調された信号を制御部５０に与える。また、通信制御部５４は、送信時においては制御部５０から送られた各種データを所定のプロトコルに基づいて変調し、変調した無線信号を分波部５２を介してアンテナ５１から送信する。
【０１０２】
チューナ５５は、放送信号から一のチャンネルを選択及び増幅し、選択された信号を信号処理部５６に送る。
信号処理部５６は、チューナ５５より送られた信号から映像信号、音声信号に分離し、分離された映像信号は表示部６０に、音声信号は図示しないスピーカから出力される。
【０１０３】
また、携帯電話機は、撮像部５７、画像処理部５８、メモリ５９、記憶媒体６２を備えている。
【０１０４】
撮像部５７はレンズ、撮像素子、例えばＣＣＤ（Charge Coupled Device）イメージセンサ、ＣＭＯＳ（Complementary Metal Oxide Semiconductor）イメージセンサ等を備えている。撮像部５７は撮像して得た画像データを画像処理部５８に逐次送信する。
【０１０５】
画像処理部５８は、画像データに対して補完処理等のエフェクト処理を実行し、メモリ５９に送る。表示部６０は、メモリ５９に書き込まれた画像データに基づいて、画像を逐次表示する。
【０１０６】
記録媒体６２はフラッシュメモリのような不揮発性の記憶手段である。制御部５０は、撮像部５７にて撮像された静止画若しくは動画の画像データ、又は放送信号から得られた映像及び音声を記録媒体６２に記録する機能を備えている。また、制御部５０は、実施の形態１又は２同様、記録した映像のサムネイル表示、静止画の表示等を行うことができ、ポインティングデバイス１の操作に応じてカーソル移動、ページ移動、静止画の回転、拡大及び縮小を行うことができる。
【０１０７】
実施の形態６にあっては、実施の形態１〜５同様、操作板の操作と同時に複数の各タッチセンサ１３の操作も行うことができ、より複雑で複合的な操作を行うことができる。
【０１０８】
実施の形態６に係るポインティングデバイス１の他の構成、作用及び効果は実施の形態１に係るポインティングデバイス１の構成、作用及び効果と同様であるため、対応する箇所には同様の符号を付してその詳細な説明を省略する。
【図面の簡単な説明】
【０１０９】
【図１】本発明の実施の形態１に係るポインティングデバイスを模式的に示す斜視図である。
【図２】ポインティングデバイスを模式的に示す平面図である。
【図３】ポインティングデバイスを模式的に示す側面図である。
【図４】ポインティングデバイスの操作状態を概念的に示す説明図である。
【図５】本発明の実施の形態１に係る映像記録再生装置の内部構成を示すブロック図である。
【図６】画像処理操作方法を概念的に示す説明図である。
【図７】画像処理操作方法を概念的に示す説明図である。
【図８】ポインティングデバイスによる画像処理操作方法を概念的に示す説明図である。
【図９】ポインティングデバイスによる画像処理操作に係る制御部の処理手順を示すフローチャートである。
【図１０】ポインティングデバイスによる画像処理操作に係る制御部の処理手順を示すフローチャートである。
【図１１】録画予約操作方法を概念的に示す説明図である。
【図１２】録画予約操作方法を概念的に示す説明図である。
【図１３】ポインティングデバイスによる録画予約に係る制御部の処理手順を示すフローチャートである。
【図１４】実施の形態２に係るポインティングデバイスを模式的に示す平面図である。
【図１５】ポインティングデバイスによる音量調整及びチャンネル変更の操作方法を概念的に示す説明図である。
【図１６】ポインティングデバイスによる音量調整及びチャンネル変更に係る制御部の処理手順を示すフローチャートである。
【図１７】実施の形態３に係るポインティングデバイスを模式的に示す平面図である。
【図１８】実施の形態４に係るポインティングデバイスを模式的に示す平面図である。
【図１９】ポインティングデバイスによる録画予約操作に係る制御部の処理手順を示すフローチャートである。
【図２０】実施の形態５に係るポインティングデバイスによる音量調整及びチャンネル変更に係る制御部の処理手順を示すフローチャートである。
【図２１】本発明の実施の形態６に係る携帯電話機の内部構成を示すブロック図である。
【図２２】携帯電話を模式的に示す正面図である。
【図２３】従来のポインティングデバイスを模式的に示す横断面図である。
【符号の説明】
【０１１０】
１  ポインティングデバイス
１１  基部
１２  操作板
１３  タッチセンサ
１４  操作桿
１５ａ  円板部
１５ｂ  磁石
１５ｃ  検出部
１５ｄ  ホール素子
１６  操作信号出力コネクタ
３６  制御部
【図１】
2009026153.tif 000003
【図２】
2009026153.tif 000004
【図３】
2009026153.tif 000005
【図４】
2009026153.tif 000006
【図５】
2009026153.tif 000007
【図６】
2009026153.tif 000008
【図７】
2009026153.tif 000009
【図８】
2009026153.tif 000010
【図９】
2009026153.tif 000011
【図１０】
2009026153.tif 000012
【図１１】
2009026153.tif 000013
【図１２】
2009026153.tif 000014
【図１３】
2009026153.tif 000015
【図１４】
2009026153.tif 000016
【図１５】
2009026153.tif 000017
【図１６】
2009026153.tif 000018
【図１７】
2009026153.tif 000019
【図１８】
2009026153.tif 000020
【図１９】
2009026153.tif 000021
【図２０】
2009026153.tif 000022
【図２１】
2009026153.tif 000023
【図２２】
2009026153.tif 000024
【図２３】
2009026153.tif 000025